【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
超音波を用いて、その壁（９）を通って、コンテナ（２）の液レベルを測定する水位測定装置（１０）であって、
超音波の測定ヘッド（１２）と、
コントロールユニット（２０）と、
前記超音波の測定ヘッド（１２）が前記コンテナ（２）の壁（９）に対して、押圧されるように、前記水位測定装置（１０）が、前記コンテナ（２）に取り付けられることができる、固定装置（２４）を備え、
送信／受信ユニットを含む、無線通信インターフェース（３６）が、提供される水位測定装置（１０）。
【請求項２】
前記固定装置は少なくとも１つの磁石（２４）を含むことを特徴とする請求項１に記載の水位測定装置（１０）。
【請求項３】
前記固定装置（２４）は、接着剤を含むことを特徴とする請求項１または請求項２に記載の水位測定装置（１０）。
【請求項４】
前記固定装置（２４）は、スプリングクリップを含むことを特徴とする請求項１乃至３のいずれか１項に記載の水位測定装置（１０）。
【請求項５】
前記固定装置（２４）は、テンションストラップを含むことを特徴とする請求項１乃至４のいずれか１項に記載の水位測定装置（１０）。
【請求項６】
前記送信／受信ユニット（３６）はＢｌｕｅｔｏｏｔｈ（登録商標）規格によって、操作することを特徴とする請求項１乃至５のいずれか１項に記載の水位測定装置（１０）。
【請求項７】
プラグの形態において、さらに通信インターフェースが提供されることを特徴とする請求項１乃至６のいずれか１項に記載の水位測定装置（１０）。
【請求項８】
前記コントロールユニット（２０）のための電力供給（２２）は、追加の前記通信インターフェースに組み込まれていることを特徴とする請求項７に記載の水位測定装置（１０）。
【請求項９】
エネルギ源（２２）が一体化されていることを特徴とする請求項１乃至７のいずれか１項に記載の水位測定装置（１０）。
【請求項１０】
前記エネルギ源は、２つのバッテリ（２２）を含むことを特徴とする請求項９に記載の水位測定装置（１０）。
【請求項１１】
前記バッテリ（２２）は、交換可能であることを特徴とする請求項１０に記載の水位測定装置（１０）。
【請求項１２】
前記バッテリ（２２）は、前記超音波の測定ヘッド（１２）からの距離をおいて配置されることを特徴とする請求項１０または１１に記載の水位測定装置（１０）。
【請求項１３】
２つのバッテリ（２２）は、直径方向にお互いに反対の前記水位測定装置（１０）の外側の端部に配置されることを特徴とする請求項１２に記載の水位測定装置（１０）。
【請求項１４】
前記水位測定装置（１０）の部品が組み込まれる、筐体（１６）が、提供されることを特徴とする請求項１乃至１３のいずれか１項に記載の水位測定装置（１０）。
【請求項１５】
前記筐体（１６）は、一部に形成されていることを特徴とする請求項１４に記載の水位測定装置（１０）。
【請求項１６】
前記筐体（１６）は、エラストマプラスチック材料で作られ、それ自身において柔軟性があることを特徴とする請求項１５に記載の水位測定装置（１０）。
【請求項１７】
前記筐体（１６）は、部分（１６Ａ、１６Ｂ、１６Ｃ）の間の接合部（１８）を備えるいくつかの部分で形成されることを特徴とする請求項１４に記載の水位測定装置（１０）。
【請求項１８】
接合部（１８）は、エラストマ接合部であることを特徴とする請求項１７に記載の水位測定装置（１０）。
【請求項１９】
スプリングクリップ（２８）は、前記部分（１６Ａ、１６Ｂ、１６Ｃ）の間に提供されることを特徴とする請求項１７または請求項１８に記載の水位測定装置（１０）。
【請求項２０】
前記超音波の測定ヘッド（１２）は、前記筐体（１６）に、弾性的に配置されていることを特徴とする請求項１４乃至１９のいずれか１項に記載の水位測定装置（１０）。
【請求項２１】
ばね（２６）は、前記コンテナ（２）の壁（９）に対して、前記超音波の測定ヘッド（１２）を押しつけるために提供されることを特徴とする請求項２０に記載の水位測定装置（１０）。
【請求項２２】
前記ばね（２６）は、プラスチック材料で作られた前記筐体（１６）を備えて一体化して形成されることを特徴とする請求項２１に記載の水位測定装置（１０）。
【請求項２３】
前記磁石は、前記コンテナ（２）に面する側で前記筐体の壁によって閉じられた容器に配置されていることを特徴とする請求項１４乃至２２のいずれか１項を組み合わせた請求項２に記載の水位測定装置（１０）。
【請求項２４】
温度センサ（３０）が提供されていることを特徴とする請求項１乃至２３のいずれか１項に記載の水位測定装置の検知手段（１０）。
【請求項２５】
前記コンテナ（２）の壁（９）に面する前記超音波の測定ヘッド（１２）の側に配置された、連結クッション（１４）が、提供されることを特徴とする請求項１乃至２４のいずれか１項に記載の水位測定装置（１０）。
【請求項２６】
前記筐体（１６）に、前記連結クッション（１４）の近くに配置される荷重伝達部が設けられることを特徴とする請求項２５に記載の水位測定装置（１０）。
【請求項２７】
前記温度センサ（３０）は、前記連結クッション（１４）に組み込まれることを特徴とする請求項２４、２５または２６のいずれか１項に記載の水位測定装置（１０）。
【請求項２８】
前記コントロールユニットは、メモリを備える予測モジュール（３２）を含むことを特徴とする請求項１乃至２７のいずれか１項に記載の水位測定装置（１０）。
【請求項２９】
前記コントロールユニット（２０）は、液高さの進行が前記コンテナ（２）に存在する液体の体積に応じて蓄積される、特性モジュール（３４）を含むことを特徴とする請求項１乃至２８のいずれか１項に記載の水位測定装置（１０）。
【請求項３０】
状況依存サンプリングレートが用いられることを特徴とする請求項１乃至２９のいずれか１項に記載の水位測定装置（１０）を操作する方法。
【請求項３１】
前記コントロールユニットが、前記水位測定装置（１０）が新しいコンテナ（２）に取り付けられたことを検知したとき、始めの水位を決定するために、結果が平均化される多数の測定を開始することを特徴とする請求項３０に記載の方法。
【請求項３２】
前記初めの水位の決定の後、前記コントロールユニット（２０）は、前記サンプリングレートを減らすことを特徴とする請求項３１に記載の方法。
【請求項３３】
前記コントロールユニット（２０）は、長期間を通して、一定の液レベルを検知したとき、前記サンプリングレートを減らすことを特徴とする請求項３０乃至３２のいずれか１項に記載の方法。
【請求項３４】
前記コントロールユニット（２０）は、外部の電化製品（３８）を備える前記水位測定装置（１０）の通信を検知しないとき、前記サンプリングレートを大いに減らすまたは測定を完全に止めることを特徴とする請求項３０乃至３３のいずれか１項に記載の方法。
【請求項３５】
前記コントロールユニット（２０）は、外部の受信機（３８）の新しい通信を検知するとき、多数の測定を開始することを特徴とする請求項３４に記載の方法。
【請求項３６】
前記コントロールユニット（２０）は、液レベルが低いことを検知したとき、発生された超音波の第１のエコーの評価から、超音波の第２、または第３のエコーの評価へ進めることを特徴とする請求項３０乃至３５のいずれか１項に記載の方法。
【請求項３７】
前記超音波の測定ヘッド（１２）の伝達力は、液レベルが低い場合に減らされることを特徴とする請求項３０乃至３６のいずれか１項に記載の方法。
【請求項３８】
前記コントロールユニット（２０）は、液レベルが決められた値の下へ落ちたことを検知したときに、使用者が特定の指示を受けることを確実にすることを特徴とする請求項３０乃至３６のいずれか１項に記載の方法。
【請求項３９】
コントロールユニットは、液レベルが決められた値の下へ落ちたことを検知したときに、新しいコンテナが得られることを確かめることを特徴とする請求項３０乃至３８のいずれか１項に記載の方法。
【請求項４０】
請求項１乃至２９のいずれか１項に記載の水位測定装置と、前記水位測定装置（１０）が設けられるコンテナ（２）の低い端部に取り付けられることができる、少なくとも１つのスペーサ（５０）を備えるアセンブリ。
【請求項４１】
前記スペーサは、閉じられた底部を備える、基部（５０）であることを特徴とする請求項４０に記載のアセンブリ。
【請求項４２】
基部（５０）に、２つのタイプのコンテナのための、少なくとも２つの位置構造が設けられることを特徴とする請求項４１に記載のアセンブリ。
【請求項４３】
前記スペーサは、前記コンテナ（２）の低い端部に留められることができる３以上のスペーサ要素（５０Ａ、５０Ｂ、５０Ｃ）からなることを特徴とする請求項４０に記載のアセンブリ。
【請求項４４】
それぞれのスペーサ要素（５０Ａ、５０Ｂ、５０Ｃ）に、第１のタイプのスロット（５２）及び少なくとも１つのさらなるタイプの第２のスロット（５２）が設けられることを特徴とする請求項４３に記載のアセンブリ。
【請求項４５】
前記スペーサ要素（５０Ａ、５０Ｂ、５０Ｃ）は、弾性のプラスチック材料で作られることを特徴とする請求項４４に記載のアセンブリ。